(57)【要約】【課題】  一度ディジタルデータを配布した後であっても、配布後のディジタルデータの追跡調査ができるようにすることは、著作権者にとって望ましい。【解決手段】  コンテンツ事業者１により、識別情報が埋め込まれたディジタルデータ５がコンテンツ市場又はネットワーク４に配布され、その後正当に又は不正に他の人に渡される（流通する）。透かし検出依頼者３は、任意の流通段階で、コンテンツ市場又はネットワーク４から流通後の識別情報埋め込みディジタルデータ５’を入手する。透かし検出サービスセンタ２は、流通後の識別情報埋め込みディジタルデータ５’から検出した識別情報が、透かし検出依頼者３を示す識別情報ではない場合に、検出した識別情報によって関連付けられるコンテンツ事業者１に対して、ディジタルデータ５’の電子透かし検出結果と検出依頼内容８を通知する。これにより、追跡サービスを実現する。【選択図】            図１
2005057406.tif 000002
【特許請求の範囲】
【請求項１】
所定の事業者又はデータ製作者の識別情報を電子透かし情報として配布するディジタルデータに埋め込み、その識別情報埋め込み済みのディジタルデータをコンテンツ市場又はネットワークに配布する第１のステップと、
前記コンテンツ市場又はネットワークに配布された前記識別情報埋め込み済みのディジタルデータの、そのコンテンツ市場又はネットワークにおける任意の流通段階での流通後のディジタルデータを、透かし検出依頼者に入手させる第２のステップと、
前記第２のステップで入手された前記流通後のディジタルデータに埋め込まれている前記識別情報を検出する第３のステップと、
前記第３のステップで検出された識別情報が、前記透かし検出依頼者を示す識別情報であるときには、前記透かし検出依頼者にその検出結果の情報を提供し、前記第３のステップで検出された識別情報が、前記透かし検出依頼者を示す識別情報でないときには、前記透かし検出依頼者にその検出結果の情報を提供すると共に、検出された識別情報が示す前記所定の事業者又はデータ製作者に検出結果と検出依頼の情報を提供する第４のステップと
を含むことを特徴とする配布データ流通情報提供方法。
【請求項２】
複数の所定の事業者又はデータ製作者をそれぞれ示す複数の識別情報を電子透かし情報として配布するディジタルデータに埋め込み、その識別情報埋め込み済みのディジタルデータをコンテンツ市場又はネットワークに配布する第１のステップと、
前記コンテンツ市場又はネットワークに配布された前記識別情報埋め込み済みのディジタルデータの、そのコンテンツ市場又はネットワークにおける任意の流通段階での流通後のディジタルデータを、透かし検出依頼者に入手させる第２のステップと、
前記第２のステップで入手された前記流通後のディジタルデータに埋め込まれている前記識別情報を検出する第３のステップと、
前記第３のステップで検出された検出結果の情報を前記透かし検出依頼者に提供すると共に、前記第３のステップで検出された検出結果が複数存在する場合に、前記複数の識別情報で示される複数の前記所定の事業者又はデータ製作者のそれぞれに、前記検出結果と検出依頼の情報を提供する第４のステップと
を含むことを特徴とする配布データ流通情報提供方法。
【請求項３】
コンテンツデータ管理者、所定の事業者又はデータ製作者の識別情報を電子透かし情報として配布するディジタルデータに埋め込み、その識別情報埋め込み済みのディジタルデータをコンテンツ市場又はネットワークに配布する第１のステップと、
前記コンテンツ市場又はネットワークに配布された前記識別情報埋め込み済みのディジタルデータの、そのコンテンツ市場又はネットワークにおける任意の流通段階での流通後のディジタルデータを、透かし検出依頼者に入手させる第２のステップと、
前記第２のステップで入手された前記流通後のディジタルデータに埋め込まれている前記識別情報を検出する第３のステップと、
前記第３のステップで検出された前記識別情報の検出結果の情報を、前記透かし検出依頼者に提供すると共に、その検出結果と検出依頼の情報を前記コンテンツデータ管理者にそれぞれ提供する第４のステップと
を含むことを特徴とする配布データ流通情報提供方法。
【請求項４】
前記第３のステップは、透かし検出サービスセンタが、前記流通後のディジタルデータに埋め込まれている前記識別情報の検出を行って得た検出結果を、検出依頼と共に情報記録手段に蓄積する処理を行うステップであり、任意の時点で前記所定の事業者又はデータ製作者又は前記コンテンツデータ管理者の要求により、前記透かし検出サービスセンタが管理する前記情報記録手段に蓄積された情報の中から要求をした前記所定の事業者又はデータ製作者又は前記コンテンツデータ管理者の識別情報に関する検出結果の履歴情報を取り出して提供する第５のステップを更に含むことを特徴とする請求項１乃至３のうちいずれか一項記載の配布データ流通情報提供方法。
【発明の詳細な説明】
【技術分野】
【０００１】
本発明は配布データ流通情報提供方法に係り、特にネットワーク又は記録媒体を介して不特定多数の流通業者やユーザーに配布したディジタルデータの流通情報を、情報提供依頼者等に提供する配布データの流通情報提供方法に関する。
【背景技術】
【０００２】
従来より、データ製作者などにより作成されたビデオデータ、オーディオデータ、マルチメディアデータ等のディジタルデータを記録した記録媒体を介して、あるいはネットワークを介して不特定多数の者にディジタルデータを配布した場合、著作権保護のための出所確認方法として、電子透かし技術が広く知られている。この電子透かし技術はディジタルデータとの分離が困難な方法で、そのディジタルデータに固有の識別情報を、通常の再生では視聴者には感知できないように当該ディジタルデータに埋め込んでおき、必要に応じて所定の方法で識別情報を検出できるようにすることにより、ディジタルデータの素性を識別することを容易にするものである。
【０００３】
従って、この電子透かし技術で埋め込まれた識別情報は、ディジタルデータが流通する間に意図的に又は意図せずに消去されないようにする必要があるため、流通過程で発生し得るいろいろなデータ処理に対しても埋め込まれた識別情報が消えないような方法が多数提案されている（例えば、特許文献１参照）。この特許文献１には、透かしを表す狭帯域の信号を、データが存在する広帯域スペクトラム中に分散して配置する方法が開示されている。
【０００４】
このように、ディジタルデータに固有の識別情報を電子透かし技術を適用して当該ディジタルデータに埋め込むと、このディジタルデータが流通した後に任意の時点で、埋め込んだ識別情報の検出を行うことができる。検出の形態としては、著作権管理者によるネットワークやその他市場に存在するディジタルデータの監視や、ディジタルコンテンツデータ提供サービス事業者や製作会社による素材の内容確認や、一般ユーザーによるディジタルデータ編集アプリケーションや、ディジタルデータビューアーに組み込まれた電子透かし検出プログラムによる検出や、専用透かし検出装置が組み込まれたディジタルデータ再生装置が存在する。
【０００５】
【特許文献１】特開平９−１９１３９４号公報
【発明の開示】
【発明が解決しようとする課題】
【０００６】
上記の電子透かし技術はディジタルデータに埋め込まれた識別情報を検出する作業を行う主体が、検出された識別情報が何であるかを知るものであるため、従来は手元にあるディジタルデータについてその素性を確認することにより、配布されたディジタルデータが記録されている記録媒体等の素材が不正な流用品でないことを確認したり、ネットワークでたまたま発見したディジタルデータの出所を確認するといった用途でのみ限定されている。
【０００７】
しかしながら、一度ディジタルデータを配布した後であっても、配布後のディジタルデータがどのように流通しているかを、上記の電子透かし技術によりディジタルデータ中に埋め込まれている識別情報を用いて追跡調査できるようにすることは、著作権者にとって望ましい。
【０００８】
本発明は上記の要求に応えるべく創案されたもので、配布したディジタルデータの流通情報を少なくとも情報提供依頼者に提供し得る配布データ流通情報提供方法を提供することを目的とする。
【課題を解決するための手段】
【０００９】
上記の目的を達成するため、第１の発明は、所定の事業者又はデータ製作者の識別情報を電子透かし情報として配布するディジタルデータに埋め込み、その識別情報埋め込み済みのディジタルデータをコンテンツ市場又はネットワークに配布する第１のステップと、コンテンツ市場又はネットワークに配布された識別情報埋め込み済みのディジタルデータの、そのコンテンツ市場又はネットワークにおける任意の流通段階での流通後のディジタルデータを、透かし検出依頼者に入手させる第２のステップと、第２のステップで入手された流通後のディジタルデータに埋め込まれている識別情報を検出する第３のステップと、第３のステップで検出された識別情報が、透かし検出依頼者を示す識別情報であるときには、透かし検出依頼者にその検出結果の情報を提供し、第３のステップで検出された識別情報が、透かし検出依頼者を示す識別情報でないときには、透かし検出依頼者にその検出結果の情報を提供すると共に、検出された識別情報が示す所定の事業者又はデータ製作者に検出結果と検出依頼の情報を提供する第４のステップとを含むことを特徴とする。
【００１０】
この発明では、識別情報が電子透かし情報として埋め込まれて配布されたディジタルデータが、コンテンツ市場又はネットワークにおける任意の流通段階での流通後に、識別情報を検出し、その検出結果が透かし検出依頼者を示す識別情報でないときには、検出された識別情報で示される所定の事業者又はデータ製作者にその検出結果と検出依頼の情報を提供するようにしたため、識別情報を埋め込んでディジタルデータを配布した所定の事業者又はデータ製作者は、配布したディジタルデータの流通後の状態を知ることができる。
【００１１】
また、上記の目的を達成するため、第２の発明は、複数の所定の事業者又はデータ製作者をそれぞれ示す複数の識別情報を電子透かし情報として配布するディジタルデータに埋め込み、その識別情報埋め込み済みのディジタルデータをコンテンツ市場又はネットワークに配布する第１のステップと、コンテンツ市場又はネットワークに配布された識別情報埋め込み済みのディジタルデータの、そのコンテンツ市場又はネットワークにおける任意の流通段階での流通後のディジタルデータを、透かし検出依頼者に入手させる第２のステップと、第２のステップで入手された流通後のディジタルデータに埋め込まれている識別情報を検出する第３のステップと、第３のステップで検出された検出結果の情報を透かし検出依頼者に提供すると共に、第３のステップで検出された検出結果が複数存在する場合に、複数の識別情報で示される複数の所定の事業者又はデータ製作者のそれぞれに、検出結果と検出依頼の情報を提供する第４のステップとを含むことを特徴とする。
【００１２】
この発明では、複数の識別情報が電子透かし情報として埋め込まれたディジタルデータをコンテンツ市場又はネットワークに配布した後、そのコンテンツ市場又はネットワークで流通した後の任意の流通段階でのディジタルデータから、埋め込まれている識別情報を検出し、その検出結果が複数存在する場合に、複数の識別情報で示される複数の所定の事業者又はデータ製作者のそれぞれに、検出結果と検出依頼の情報を提供することができる。
【００１３】
また、上記の目的を達成するため、第３の発明は、コンテンツデータ管理者、所定の事業者又はデータ製作者の識別情報を電子透かし情報として配布するディジタルデータに埋め込み、その識別情報埋め込み済みのディジタルデータをコンテンツ市場又はネットワークに配布する第１のステップと、コンテンツ市場又はネットワークに配布された識別情報埋め込み済みのディジタルデータの、そのコンテンツ市場又はネットワークにおける任意の流通段階での流通後のディジタルデータを、透かし検出依頼者に入手させる第２のステップと、第２のステップで入手された流通後のディジタルデータに埋め込まれている識別情報を検出する第３のステップと、第３のステップで検出された識別情報の検出結果の情報を、透かし検出依頼者に提供すると共に、その検出結果と検出依頼の情報をコンテンツデータ管理者にそれぞれ提供する第４のステップとを含むことを特徴とする。
【００１４】
この発明では、識別情報が電子透かし情報として埋め込まれて配布されたディジタルデータが、コンテンツ市場又はネットワークにおける任意の流通段階での流通後に、識別情報を検出し、コンテンツデータ管理者にその検出結果と検出依頼の情報を提供するようにしたため、コンテンツデータ管理者は、配布したディジタルデータの流通後の状態を知ることができる。
【００１５】
更に、上記の目的を達成するため、第４の発明は、第１乃至第３の発明における第３のステップを、透かし検出サービスセンタが、流通後のディジタルデータに埋め込まれている識別情報の検出を行って得た検出結果を、検出依頼と共に情報記録手段に蓄積する処理を行うステップとし、任意の時点で所定の事業者又はデータ製作者又はコンテンツデータ管理者の要求により、透かし検出サービスセンタが管理する情報記録手段に蓄積された情報の中から要求をした所定の事業者又はデータ製作者又はコンテンツデータ管理者の識別情報に関する検出結果の履歴情報を取り出して提供する第５のステップを更に含むことを特徴とする。
【００１６】
この発明では、所定の事業者又はデータ製作者又はコンテンツデータ管理者は、配布したディジタルデータの配布先のコンテンツデータ市場又はネットワーク内での任意の時点の流通後の状態を知ることができる。
【発明の効果】
【００１７】
本発明によれば、所定の事業者又はデータ製作者が、自らの識別情報を電子透かし情報として埋め込んだディジタルデータをコンテンツ市場又はネットワークに配布した後の、流通後のディジタルデータの状態を知ることができるため、識別情報を埋め込んだ所定の事業者又はデータ製作者、更にはコンテンツデータ管理者が配布したディジタルデータの流通先を知る追跡調査ができる。
【００１８】
また、本発明によれば、流通後のディジタルデータに埋め込まれている識別情報の検出を行って得た検出結果を、検出依頼と共に情報記録手段に蓄積するようにしたため、所定の事業者又はデータ製作者又はコンテンツデータ管理者は、配布したディジタルデータの配布先のコンテンツデータ市場又はネットワーク内での任意の流通後の履歴情報を、任意の時点で情報記録手段から読み出して取得することができる。
【発明を実施するための最良の形態】
【００１９】
次に、本発明の実施の形態について図面と共に説明する。図１は本発明になる配布データ流通情報提供方法の一実施の形態のブロック図を示す。本実施の形態では、透かし検出サービスを行う事業者が、コンテンツ事業者１により配布されたディジタルデータ５の追跡調査を、透かし検出依頼者３からの依頼により行うために、透かし検出サービスセンタ２を有している。透かし検出サービスセンタ２は情報記録手段６を備えている。
【００２０】
図１において、コンテンツ事業者１は、作成したビデオデータ、オーディオデータ、マルチメディアデータ等のディジタルデータに、自らを識別する識別情報を電子透かし情報として埋め込み、その識別情報が埋め込まれたディジタルデータ５を、記録媒体に記録して又は通信によりコンテンツ市場又はネットワーク４に配布する。
【００２１】
コンテンツ市場又はネットワーク４に配布された、識別情報が埋め込まれたディジタルデータ５は、その後、コンテンツ市場又はネットワーク４で正当に又は不正に他の人に渡される（すなわち、流通する）。透かし検出依頼者３は、配布された識別情報埋め込みディジタルデータ５のコンテンツ市場又はネットワーク４での任意の流通段階で、コンテンツ市場又はネットワーク４から流通後の識別情報埋め込みディジタルデータ５’を入手して、これを検出サービスセンタ２に送信して電子透かし技術で埋め込まれている識別情報の検出を依頼する。
【００２２】
なお、上記のコンテンツ市場又はネットワーク４での任意の流通段階とは、例えば、キャラクタ画像を製作したコンテンツ事業者１が、そのキャラクタ画像データに自らの識別情報を電子透かし情報として埋め込んでコンテンツ市場又はネットワーク４に配布した場合、コンテンツ市場又はネットワーク４において、キャラクタ画像を使用した別の画像データの製作、更にその別の画像データを使用した印刷物の製作、更にその印刷物のファクシミリ送受信などの各段階を指す。
【００２３】
透かし検出サービスセンタ２は、透かし検出依頼者３から受け取った流通後の識別情報埋め込みディジタルデータ５’から電子透かし情報として埋め込まれている識別情報の検出を行う。この透かし検出サービスセンタ２が検出した識別情報が、透かし検出依頼者３を示す識別情報であるときには、透かし検出サービスセンタ２は、透かし検出依頼者３と検出した識別情報が本来示しているコンテンツ事業者１とが同一であるので、コンテンツ事業者１自身が電子透かし検出依頼を行っていると判断して、その検出結果７の情報を情報記録手段６に記録すると共に、透かし検出依頼者３に情報提供する。
【００２４】
一方、透かし検出サービスセンタ２は、流通後の識別情報埋め込みディジタルデータ５’から検出した識別情報が、透かし検出依頼者３を示す識別情報ではないときは、その検出結果７の情報を情報記録手段６に記録し、かつ、透かし検出依頼者３に情報提供すると共に、検出した識別情報によって関連付けられるコンテンツ事業者１に対して、ディジタルデータ５’の電子透かし検出結果と検出依頼内容８の情報を提供する。これは、透かし検出サービスを行う事業者が、配布データの追跡サービスを行うからである。
【００２５】
すなわち、追跡サービスでは、副次的に流通した流通後の識別情報埋め込みディジタルデータ５’を仲介若しくは利用している透かし検出依頼者３が、自主的に又は強制的にそのディジタルデータ５’を透かし検出サービスセンタ２へ送信し、そのディジタルデータ５’の電子透かし情報である識別情報の検出を行わせ、その検出結果が透かし検出サービスを行う事業者の情報記録手段６にログとして記録され、このログ情報のうち、ディジタルデータ５を配布したコンテンツ事業者１に関する識別情報が埋め込まれたものに関するものだけを抽出して、コンテンツ事業者１に提供するサービスであるからである。
【００２６】
なお、透かし検出サービスセンタ２は、コンテンツ事業者１の要求に応じて、情報記録手段６に記録された識別情報からコンテンツ事業者１に関連付けられた履歴情報を検出し、この検出履歴情報９をコンテンツ事業者１に提供するようにしてもよい。
【００２７】
このように、本実施の形態によれば、透かし検出依頼者３からの検出依頼を受けて透かし検出サービスセンタ２において、電子透かし情報である識別情報の検出を行った場合に、透かし検出結果７を透かし検出依頼者３に通知すると共に、識別情報をディジタルデータに埋め込んだコンテンツ事業者１にも通知することにより、結果的に透かし埋め込みを行ったコンテンツ事業者１が、配布したディジタルデータ５の追跡調査を可能にできる。
【００２８】
本実施の形態では、透かし検出サービスセンタ２及び情報記録手段６を備えた透かし検出サービスを行う事業者が、配布ディジタルデータ５の追跡サービスを透かし検出依頼者３やコンテンツ事業者１に提供することで、透かし検出依頼者３やコンテンツ事業者１から対価を得ることができる。
【００２９】
次に、本発明の他の実施の形態について説明する。図２は本発明になる配布データ流通情報提供方法の他の実施の形態のブロック図を示す。同図中、図１と同一構成部分には同一符号を付し、その説明を省略する。図２に示す実施の形態は、複数の識別情報が検出される場合の配布データ流通情報提供方法であり、コンテンツ事業者１０は、作成したビデオデータ、オーディオデータ、マルチメディアデータ等のディジタルデータに、自らを識別する第１の識別情報を電子透かし情報として埋め込み、その第１の識別情報が埋め込まれたディジタルデータ１３を、流通事業者１１に配布する。
【００３０】
流通事業者１１は配布されたディジタルデータ１３に、自らを識別する第２の識別情報を電子透かし情報として埋め込み、その第２の識別情報が埋め込まれたディジタルデータ１４を記録媒体に記録して又は通信によりコンテンツ市場又はネットワーク４に配布する。
【００３１】
コンテンツ市場又はネットワーク４に配布された、第１及び第２の識別情報が埋め込まれたディジタルデータ１４は、その後、コンテンツ市場又はネットワーク４で正当に又は不正に他の人に渡される（すなわち、流通する）。透かし検出依頼者３は、配布された識別情報埋め込みディジタルデータ１４を利用しているが、そのディジタルデータ１４のコンテンツ市場又はネットワーク４での任意の流通段階で、コンテンツ市場又はネットワーク４から流通後のディジタルデータ１４’を入手し、これを自主的に又は強制的に検出サービスセンタ１２に送信して透かしの検出を依頼する。
【００３２】
検出サービスセンタ１２は、受け取った流通後のディジタルデータ１４’から電子透かし情報である識別情報を検出し、その検出結果７を情報記録手段６に記録すると共に検出サービス依頼者３に通知する。また、透かし検出サービスセンタ１２は、流通後の識別情報埋め込みディジタルデータ１４’から検出した識別情報が、前述した第１及び第２の識別情報であるときには、それらの識別情報によって関連付けられるコンテンツ事業者１０及び流通事業者１１に対して、ディジタルデータ１４’の電子透かし検出結果と検出依頼内容１５をそれぞれ通知する。これは、透かし検出サービスを行う事業者が、配布データの追跡サービスを行うからである。
【００３３】
また、透かし検出サービスセンタ１２は、コンテンツ事業者１０又は流通事業者１１の要求に応じて、情報記録手段６に記録された情報からコンテンツ事業者１０又は流通事業者１１に関連付けられた履歴情報を検出し、この検出履歴情報をコンテンツ事業者１０に提供する。このように、本実施の形態では、複数の識別情報が埋め込まれたディジタルデータ１４を配布した後に、配布後の流通先を知る機会をコンテンツ事業者１０及び流通事業者１１に与えることができる。
【００３４】
次に、本発明の更に他の実施の形態について説明する。図３は本発明になる配布データ流通情報提供方法の更に他の実施の形態のブロック図を示す。同図中、図１と同一構成部分には同一符号を付し、その説明を省略する。図３の本実施の形態では、透かし検出サービスを行う事業者が、コンテンツデータ管理者２１により配布されたディジタルデータ２２の追跡調査を、透かし検出依頼者３からの依頼により行うために、透かし検出サービスセンタ２３を有している。透かし検出サービスセンタ２３は情報記録手段６を備えている。
【００３５】
図３において、コンテンツデータ管理者２１は、データ製作者であるコンテンツ事業者が作成したビデオデータ、オーディオデータ、マルチメディアデータ等のディジタルデータ（コンテンツデータ）の配布状況などを管理する事業者であり、ここでは、ディジタルデータ（コンテンツデータ）を作成するコンテンツ事業者をも兼ねているが、コンテンツ事業者と異なっていてもよい。
【００３６】
コンテンツデータ管理者２１は、作成したディジタルデータに、自らを識別する識別情報を電子透かし情報として埋め込み、その識別情報が埋め込まれたディジタルデータ２２を、記録媒体に記録して又は通信によりコンテンツ市場又はネットワーク４に配布する。なお、コンテンツデータ管理者とコンテンツ事業者とが異なる場合には、それぞれの識別情報が電子透かし情報として埋め込まれる。
【００３７】
コンテンツ市場又はネットワーク４に配布された、識別情報が埋め込まれたディジタルデータ２２は、その後、コンテンツ市場又はネットワーク４で正当に又は不正に他の人に渡される（すなわち、流通する）。透かし検出依頼者３は、配布された識別情報埋め込みディジタルデータ２２のコンテンツ市場又はネットワーク４での任意の流通段階で、コンテンツ市場又はネットワーク４から流通後の識別情報埋め込みディジタルデータ２２’を入手して、これを透かし検出サービスセンタ２３に送信して電子透かし技術で埋め込まれている識別情報の検出を依頼する。
【００３８】
透かし検出サービスセンタ２３は、受け取ったディジタルデータ２２’から電子透かしデータの検出を行い、結果を情報記録手段６に記録する。さらに検出結果７の情報を透かし検出依頼者３に提供すると共に、この識別情報が示すディジタルデータ２２’を管理するコンテンツデータ管理者２１に対して、ディジタルデータ２２’の電子透かし検出結果と検出依頼内容８の情報を提供する。
【００３９】
また、透かし検出サービスセンタ２３は、コンテンツデータ管理者２１の要求に応じて、情報記録手段６に記録された情報からコンテンツデータ管理者２１が特定するディジタルデータに関連する履歴情報を検出し、この検出履歴情報９をコンテンツデータ管理者２１に提供する。
【００４０】
このように、本実施の形態によれば、透かし検出依頼者３からの検出依頼を受けて透かし検出サービスセンタ２３において、電子透かし情報である識別情報の検出を行った場合に、透かし検出結果７の情報を透かし検出依頼者３に提供すると共に、ディジタルデータ２２を管理するコンテンツデータ管理者２１にも提供することにより、結果的にコンテンツデータ管理者２１が、配布したディジタルデータ２２の追跡調査を可能にできる。
【００４１】
本実施の形態では、透かし検出サービスセンタ２３及び情報記録手段６を備えた透かし検出サービスを行う事業者が、配布ディジタルデータ２２の追跡サービスを透かし検出依頼者３やコンテンツデータ管理者２１に提供することで、透かし検出依頼者３やコンテンツデータ管理者２１から対価を得ることができる。
【図面の簡単な説明】
【００４２】
【図１】本発明の一実施の形態のブロック図である。
【図２】本発明の他の実施の形態のブロック図である。
【図３】本発明の更に他の実施の形態のブロック図である。
【符号の説明】
【００４３】
１、１０  透かし埋め込みを行ったコンテンツ事業者
２、１２、２３  透かし検出サービスセンタ
３  透かし検出依頼者
４  コンテンツ市場又はネットワーク
５、１３、１４、２２  識別情報埋め込み済み配布ディジタルデータ
５’、１４’、２２’  識別情報埋め込み済み流通後ディジタルデータ
６  情報記録手段
１１  透かし埋め込みを行った流通事業者
２１  コンテンツデータ管理者
【図１】
2005057406.tif 000003
【図２】
2005057406.tif 000004
【図３】
2005057406.tif 000005